(57)【特許請求の範囲】
【請求項１】
原稿台に載置される用紙の幅を規制する左右のセットガイドと、前記セットガイドの双方に連結し一方のセットガイドの動きを他方のセットガイドに伝えるダンパーギヤと、弾性部材からなり弾性力を利用して原稿台側に取付けられ前記ダンパーギヤを前記原稿台との間に保持するギヤホルダーと、を具備し、前記ギヤホルダーは、前記左右のセットガイドの幅と前記ダンパーギヤの直径とを合わせた距離と略同一間隔を空けて板バネの両端を折り曲げてコの字形状に加工されてなり、原稿台側に前記左右のセットガイドの幅方向の両側を規制するように設けられた一対の位置決め部に対して前記板バネ両端の折曲部が弾性的にはめ込まれることを特徴とする用紙ガイド機構。
【請求項２】
前記左右のセットガイドは、用紙幅を規制するガイド用突起と、このガイド用突起と一体に形成され用紙幅方向に延在するラックとを有し、前記ダンパーギヤは、前記左右のセットガイドの間に双方のラックに当接して配置され、一方のセットガイドの用紙幅方向に沿った動きを回転により他方のセットガイドに伝えるピニオンギヤで構成される、請求項１記載の用紙ガイド機構。
【請求項３】
前記ギヤホルダーは、左右対称の形状になされていることを特徴とする請求項１または請求項２に記載の用紙ガイド機構。
【請求項４】
前記ギヤホルダーは、前記セットガイド側に突出した突起部を有し、前記セットガイドは、所定のサイズ位置まで移動したときに前記突起部が落とし込まれるクリック溝を有する請求項１から請求項３のいずれかに記載の用紙ガイド機構。
【請求項５】
請求項１から請求項４のいずれかに記載の用紙ガイド機構を有する電気機器。
【発明の詳細な説明】
【０００１】
【発明の属する技術分野】
本発明は、用紙ガイド機構および電気機器に関する。
【０００２】
【従来の技術】
従来から、複写機、ファクシミリ機、プリンタ等には、原稿台に載置した用紙を機器本体内部に給紙するための機構が設けられている。これらの原稿台には原稿のスキューを防止するために給紙方向と直交する方向に進退する一対のセットガイドが設けられている。このような電気機器には、一対のセットガイドのそれぞれが中央に対して略線対称に動くように、双方のセットガイドが当接し、一方のセットガイドの動きを他のセットガイドに伝達するためのダンパーギヤが設けらている。よって、一方のセットガイドを動かすと、他方のセットガイドも一方のセットガイドに連動して動くようになされている。
【０００３】
図１１は、従来の電気機器の要部分解斜視図である。この図を使用して、従来の機器について説明する。
【０００４】
電気機器１１０１には、用紙を載置するための原稿台１１０２が設けられている。原稿台１１０２には、載置された用紙の幅を規制するために用紙の側面に対向するように設けられた左のセットガイド１１０３ａおよび右のセットガイド１１０３ｂと、一対のセットガイド１１０３ａ，１１０３ｂが挿入される一対の開口部１１０４ａ，１１０４ｂが設けられている。セットガイド１１０３ａ，１１０３ｂには、一対のセットガイド１１０３ａ，１１０３ｂの動く方向に沿って延在する一対のラック１１０５ａ，１１０５ｂが設けられ、ラック１１０５ａ，１１０５ｂの側面にはギヤ部１１０６ａ，１１０６ｂが設けられている。セットガイド１１０３ａ，１１０３ｂは一対のギヤ部１１０６ａ，１１０６ｂが対向するように、一対の開口部１１０４ａ，１１０４ｂに一対のラック１１０５ａ，１１０５ｂから挿入される。また、セットガイド１１０３ａ，１１０３ｂは挿入後、ラック１１０５ａ，１１０５ｂが原稿台１１０２の裏面に入るように取り付けられる。
【０００５】
原稿台１１０２の裏面には、一対のギヤ部１１０６ａ，１１０６ｂに同時に当接し、一方のセットガイド１１０３ａ，１１０３ｂが接近、離間した際に、他方のセットガイド１１０３ｂ，１１０３ａに一方のセットガイド１１０３ａ，１１０３ｂの用紙の幅方向に沿った動きを伝達し、左右のそれぞれのセットガイド１１０３ａ，１１０３ｂがそれぞれの中央に対して略線対称に動くようにするダンパーギヤ１１０７が設けられている。またダンパーギヤ１１０７には、セットガイド１１０３ａ，１１０３ｂのギヤ部１１０６ａ，１１０６ｂに適合するような形状のピニオンギヤ１１０８が設けられている。
【０００６】
ダンパーギヤ１１０７には、一対のネジ１１０９ａ，１１０９ｂが挿入されるための一対の開口部１１１０ａ，１１１０ｂが施されている。ダンパーギヤ１１０７は、開口部１１１０ａ，１１１０ｂを介して原稿台１１０２に設けられた一対の開口部１１１１ａ，１１１１ｂにネジ１１０９ａ，１１０９ｂが挿入されることによってネジ止めされる。
【０００７】
このように構成することにより、一方のセットガイド１１０３ａ，１１０３ｂが接近、離間した際に、セットガイド１１０３ａ，１１０３ｂの動きがギヤ１１０６ａ，１１０６ｂを介し、ダンパーギヤ１１０７に設けられたピニオンギヤ１１０８に伝わる。伝わった動きは、ダンパーギヤ１１０７のピニオンギヤ１１０８を介し、他方のセットガイド１１０３ｂ，１１０３ａのギヤ部１１０６ｂ，１１０６ａに伝わる。ギヤ部１１０６ｂ，１１０６ａに伝わった動きはセットガイド１１０３ｂ，１１０３ａに伝わり、他方のセットガイド１１０３ｂ，１１０３ａはセットガイド１１０３ａ，１１０３ｂと連動して動く。よって、左右のそれぞれのセットガイド１１０３ａ，１１０３ｂがそれぞれの中央に対して略線対称に動くようになされる。
【０００８】
【発明が解決しようとする課題】
しかし、従来の電気機器では、ダンパーギヤをネジ止めしていたため、組み立ての手間がかかるという問題があった。
【０００９】
本発明は、かかる点に鑑みてなされたものであり、ダンパーギヤの取付け作業を簡素化して、組立作業を効率化することを目的とする。
【００１０】
【課題を解決するための手段】
本発明の用紙ガイド機構は、原稿台に載置される用紙の幅を規制する左右のセットガイドと、セットガイドの双方に連結し一方のセットガイドの動きを他方のセットガイドに伝えるダンパーギヤと、弾性部材からなり弾性力を利用して原稿台側に取付けられダンパーギヤを原稿台との間に保持するギヤホルダーと、を具備している。
【００１１】
このように構成することにより、ギヤホルダーが機器本体に固定されると同時にダンパーギヤも機器本体に保持される。このため、ダンパーギヤの取付け作業が簡単に行えるので、組立作業が容易になり、組立作業を効率化することができる。
【００１２】
【発明の実施の態様】
本発明の第１の態様に係る用紙ガイド機構は、原稿台に載置される用紙の幅を規制する左右のセットガイドと、セットガイドの双方に連結し一方のセットガイドの動きを他方のセットガイドに伝えるダンパーギヤと、弾性部材からなり弾性力を利用して原稿台側に取付けられダンパーギヤを原稿台との間に保持するギヤホルダーと、を具備している。ギヤホルダーは、左右のセットガイドの幅とダンパーギヤの直径とを合わせた距離と略同一間隔を空けて板バネの両端を折り曲げてコの字形状に加工されてなり、原稿台側に左右のセットガイドの幅方向の両側を規制するように設けられた一対の位置決め部に対して板バネ両端の折曲部が弾性的にはめ込まれるようになされている。
【００１３】
このように構成することにより、ギヤホルダーが機器本体に固定される同時にダンパーギヤも機器本体に保持される。このため、ダンパーギヤの取付け作業が簡単に行えるので、組立作業が容易になり、組立作業の効率化を図ることができる。さらに、ダンパーギヤは、確実にギヤホルダーの内側に収納される。よって、ギヤホルダーが機器本体に固定される同時にダンパーギヤも機器本体に確実に保持される。
【００１４】
本発明の第２の態様は、第１の態様に係る用紙ガイド機構において、左右のセットガイドは、用紙幅を規制するガイド用突起と、このガイド用突起と一体に形成され用紙幅方向に延在するラックとを有し、ダンパーギヤは、左右のセットガイドの間に双方のラックに当接して配置され、一方のセットガイドの用紙幅方向に沿った動きを回転により他方のセットガイドに伝えるピニオンギヤで構成されている。
【００１５】
このように左右セットガイドおよびダンパーギヤを構成することにより、従来のラックおよびピニオンギヤ機構に簡単に適用できる。
【００１８】
本発明の第３の態様は、第１の態様または第２の態様に係る用紙ガイド機構において、前記ギヤホルダーは、左右対称の形状になされている。
【００１９】
このような形状にギヤホルダーをすることにより、組立作業の際に、ユーザーがギヤホルダーの向きを確認しなくても、ギヤホルダーを機器本体に取り付けられる。
【００２０】
本発明の第４の態様は、第１の態様から第３の態様のいずれかに係る用紙ガイド機構おいて、ギヤホルダーは、セットガイド側に突出した突起部を有し、セットガイドは、所定のサイズ位置まで移動したときに突起部が落とし込まれるクリック溝を有する。
【００２１】
このようにラックおよびギヤホルダーを構成することにより、ユーザーがセットガイドを動かす際に、紙サイズ位置でクリック感を得ることができる。
【００２２】
本発明の第５の態様に係る電気機器は、第１の態様から第４の態様のいずれかに記載の用紙ガイド機構を有する。
【００２３】
このように構成することで、ダンパーギヤの取付け作業が簡単に行えるようになる。これによって、組立作業が容易になり、組立作業の効率化を図ることができる電気機器を提供できる。
【００２４】
以下、本実施の形態について、図面を参照して詳細に説明する。
【００２５】
図１は一実施の形態に係る電気機器の構成を説明するための電気機器の斜視図である。
【００２６】
電気機器１０１の上部には原稿台１０２が設けられており、用紙１０３を図のように載置するようになされている。載置された用紙１０３は矢印１０４の方向に動かされ電気機器１０１の内部に給紙される。
【００２７】
原稿台１０２の載置された用紙１０２の両側の位置には、用紙１０３のスキューを防止するために給紙方向を示す矢印１０４と直交する方向に進退する右セットガイド１０５ａおよび左セットガイド１０５ｂが設けられている。
【００２８】
また、電気機器１０１の上面には操作部１０６，１０７，１０８および操作内容を表示する表示部１０９が設けられている。
【００２９】
図２は上記実施の形態にかかわる電気機器の構成を説明するための電気機器の要部の分解斜視図である。
【００３０】
原稿台１０２には、一対のセットガイド１０５ａ，１０５ｂが取付けられるようになっている。一対のセットガイド１０５ａ，１０５ｂの端部には原稿台１０２に載置された用紙の側面を規制するためのガイド用突起２０１ａ，２０１ｂが設けられ、セットガイド１０５ａ，１０５ｂのガイド用突起２０１ａ，２０１ｂと反対側の端部には、セットガイド１０５ａ，１０５ｂに用紙の幅方向に沿って延在する一対のラック２０２ａ，２０２ｂが設けられている。セットガイド１０５ａ，１０５ｂは原稿台１０２に取り付けられた後、矢印２０３ａ，２０３ｂの方向に動くようになされる。また、ラック２０２ａ，２０２ｂはセットガイド１０５ａ，１０５ｂの動く方向に沿って延在するように設けられている。ラック２０２ａ，２０２ｂの側面にはギヤ部２０４ａ，２０４ｂが設けられている。
【００３１】
セットガイド１０５ａ，１０５ｂはラック２０２ａ，２０２ｂを先頭にして、原稿台１０２に設けられた一対の開口部２０５ａ，２０５ｂに挿入される。
【００３２】
原稿台１０２の下面には、円柱状の突起部２０６が設けらており、ダンパーギヤ２０７は突起部２０６に挿入されることによって、突起部２０６を軸に回動可能に保持されるようになっている。また、これによって、ダンパーギヤ２０７は突起部２０６の軸に対して横方向への動きを規制され保持される。ダンパーギヤ２０７は、一対のギヤ部２０４ａ，２０４ｂに同時に当接し、一方のセットガイド１０５ａ，１０５ｂが接近、離間した際に、他方のセットガイド１０５ｂ，１０５ａにセットガイド１０５ａ，１０５ｂの動きを伝達し、他方のセットガイド１０５ｂ，１０５ａを同方向に向けて連動させて動かす機能を持っている。これによって、左右のそれぞれのセットガイド１０５ａ，１０５ｂがそれぞれの中央に対して略線対称に動くようなされる。
【００３３】
板バネで構成されたギヤホルダー２０８は内側にダンパーギヤ２０７を収納し、ギヤホルダー２０８は原稿台１０２の下面に固定される。これにともなって、ダンパーギヤ２０７が、ギヤホルダー２０８と原稿台１０２の下面との間に保持されるようになっている。
【００３４】
図３（ａ）は、上記実施の形態のダンパーギヤ２０７の拡大上面図であり、図３（ｂ）は上記実施の形態のダンパーギヤ２０７の拡大側面図であり、図３（ｃ）は上記実施の形態のダンパーギヤ２０７の拡大下面図である。これらの図を使用して、ダンパーギヤの形状について詳細に説明する。
【００３５】
図３（ａ）からわかるように、ダンパーギヤ２０７の中央には開口部３０１が施されており、この開口部は原稿台１０２の下面に設けられた円柱状の突起部２０６に適合する形状になされている。
【００３６】
図３（ｂ）、図３（ｃ）からわかるように、ダンパーギヤの側面のほぼ中央には、等間隔に突起部が刻まれたピニオンギヤ３０２が施されている。このピニオンギヤ３０２の形状はセットガイド１０５ａ，１０５ｂに施されたギヤ部２０４ａ，２０４ｂの形状に適合するようになされている。
【００３７】
図４（ａ）は、上記実施の形態のギヤホルダーの拡大上面図であり、図４（ｂ）は、上記実施の形態のギヤホルダーを矢印Ａから見たの拡大側面図であり、図４（ｃ）は、上記実施の形態のギヤホルダーを矢印Ｂから見たの拡大側面図であり、図４（ｄ）は、上記実施の形態のギヤホルダーのＣ−Ｃ線に沿った拡大断面図である。
【００３８】
図４（ａ）からわかるように、ギヤホルダー２０８の中央には開口部４０１が施されている。この開口部４０１の大きさは、原稿台１０２の突起部２０６に適合する大きさになされている。また、ギヤホルダー２０８には、開口部４０２ａ，４０２ｂ，４０２ｃ，４０２ｄが並んで設けられており、開口部４０２ａ，４０２ｂの間には突起部４０３ａが、開口部４０２ｃ，４０２ｄの間には突起部４０３ｂが設けられている。このように、開口部４０２ａ，４０２ｂ，４０２ｃ，４０２ｄの間に突起部４０３ａ，４０３ｂを設けることにより、突起部４０３ａ，４０３ｂに上下方向の力が加わると、突起部４０３ａ，４０３ｂが上下に動くようになされている。これは、ギヤホルダー２０８が板バネで構成されているからである。また、図４（ｃ）からわかるように、突起部４０３ａ，４０３ｂは下方に突起した構造になされている。さらに、図４（ｄ）からもわかるように、突起部は先端に向けて幅が細くなるような形状をしている。
【００３９】
図４（ａ）、図４（ｂ）からわかるように、ギヤホルダー２０８の両側面４０４ａ，４０４ｂには一対の開口部４０５ａ，４０５ｂが設けられている。
【００４０】
また、図４（ｃ）からわかるように、ギヤホルダー２０８の一対の折曲部４０４ａ，４０４ｂの先端部には先端に向けて広がるようになされた脚部４０６ａ，４０６ｂが設けられている。
【００４１】
これらの図からわかるように、ギヤホルダー２０８は上面から見て左右対称になされている。このため、ユーザーがギヤホルダー２０８を原稿台１０２に取り付ける際に、ユーザーがギヤホルダー２０８の向きを確認しなくても取付けることができる。
【００４２】
図５は上記実施の形態の原稿台を説明するための電気機器を下方から見た要部斜面図である。この図を使用して、各部材がどのように取付けられるか説明する。
【００４３】
図からもわかるように、セットガイド１０５ａ，１０５ｂはラック２０２ａ，２０２ｂが下面側にでるように、かつセットガイド１０５ａ，１０５ｂに設けられたギヤ部２０４ａ，２０４ｂが対向するように配置される。原稿台１０２のセットガイド１０５ａ，１０５ｂのギヤ部２０４ａ，２０４ｂにそれぞれ対向する位置であって、かつそれぞれの中間の位置には、円柱状の突起部２０６が設けられている。突起部２０６がダンパーギヤ２０７の開口部３０１に挿入されることによりダンパーギヤ２０７は原稿台１０２に突起部２０６を軸に回動可能に保持される。また、ダンパーギヤ２０７は突起部２０６により、突起部２０６の軸方向に対して垂直方向への動きが規制される。さらに、また、ダンパーギヤ２０７が保持された際、ダンパーギヤ２０７のピニオンギヤ３０２がセットガイド１０５ａ，１０５ｂのギヤ部２０４ａ，２０４ｂに同時に当接するように、突起部２０６、ダンパーギヤ２０７は設けられている。
【００４４】
原稿台１０２のセットガイド１０５ａ，１０５ｂのラック２０２ａ，２０２ｂのそれぞれ外側に、互いに対向するように一対の位置決め部５０１ａ，５０１ｂが設けられている。位置決め部５０１ａ，５０１ｂには、ギヤホルダー２０８の開口部４０５ａ，４０５ｂに適合する形状になされている突起部５０２ａ，５０２ｂが設けられている。ギヤホルダー２０８は、ギヤホルダー２０８の側面４０４ａ，４０４ｂの内側にダンパーギヤ２０７を収納し、ギヤホルダー２０８がダンパーギヤ２０７にかぶさるような状態で、ギヤホルダー２０８の側面４０４ａ，４０４ｂで位置決め部５０１ａ，５０１ｂを外側から挟むように、ギヤホルダー２０８は、はめ込まれることで、ギヤホルダー２０７の側面４０４ａ，４０４ｂの内側にしまる方向の弾性により原稿台１０２に固定され、これにともなってダンパーギヤ２０７が原稿台１０２に保持される。
【００４５】
また、セットガイド１０５ａ，１０５ｂのラック２０２ａ，２０２ｂの原稿台１０２に対して外面にあたる領域であって、セットガイド１０５ａ，１０５ｂが動く際にラック２０２ａ，２０２ｂのギヤホルダー２０８に当接する領域に、所定のサイズ位置まで移動したときに突起部４０３ａ、４０３ｂが落とし込まれるように膨らみ部５０３ａ，５０３ｂ，５０３ｃ，５０３ｄが施されている。また、ギヤホルダー２０８を原稿台１０２に取り付けた際、ギヤホルダー２０８の突起部４０３ａ，４０３ｂが、セットガイド１０５ａ，１０５ｂの膨らみ部５０３ａ，５０３ｂ，５０３ｃ，５０３ｄが当接するような位置に、セットガイド１０５ａ，１０５ｂおよびギヤホルダー２０８は設けられている。
【００４６】
また、ギヤホルダー２０８はラック２０２ａ，２０２ｂを覆うように固定される。これにより、ラック２０２ａ，２０２ｂは原稿台１０２に保持される。
【００４７】
図６は、上記実施の形態の原稿台を説明するための電気機器を下方から見た要部拡大図である。この図を使用して、セットガイドおよびギヤカバーが原稿台にどのように取付けられているか説明する。
【００４８】
この図からも明らかなように、ギヤホルダー２０８はセットガイド１０５ａ，１０５ｂのラック２０２ａ，２０２ｂを覆うように原稿台１０２に固定される。また、ギヤホルダー２０８の突起部は４０３ａ，４０３ｂはセットガイド１０５ａ，１０５ｂの膨らみ部５０３ａ，５０３ｂ，５０３ｃ，５０３ｄに当接するように固定されている。
【００４９】
図７は上記実施の電気機器の要部断面図である。この図を使用して、ダンパーギヤおよびギヤホルダーが原稿台にどのように取付けられているか説明する。
【００５０】
ギヤホルダー２０８は脚部４０６ａ，４０６ｂを先頭にギヤホルダー２０８の側面４０４ａ，４０４ｂで位置決め部５０１ａ，５０１ｂを外側から挟むように挿入される。図からも明らかなように、ギヤホルダー２０８の開口部４０５ａ，４０５ｂに位置決め部５０１ａ，５０１ｂの突起部５０２ａ，５０２ｂが入り込むことにより、ギヤホルダー２０８は原稿台１０２に固定されている。
【００５１】
また、ギヤホルダー２０８はダンパーギヤ２０７およびラック２０２ａ，２０２ｂを覆うように原稿台１０２に固定されている。また、ギヤホルダー２０８の開口部４０１に原稿台１０２の突起部２０６が挿入されることにより、ギヤホルダー２０８の挿入方向に対して横方向への動きを規制され、より安定して原稿台１０２に固定される。図からも、ギヤホルダー２０８の突起部４０３ａ，４０３ｂがラック２０２ａ，２０２ｂの膨らみ部５０３ａ，５０３ｂ，５０３ｃ，５０３ｄに当接していることがわかる。
【００５２】
図８（ａ）、図８（ｂ）および図８（ｃ）は上記実施の形態のセットガイド、ダンパーギヤ、およびギヤホルダーの要部拡大断面図である。これらの図を使用して、ギヤホルダーが原稿台に固定される動作を説明する。
【００５３】
ギヤホルダー２０８を原稿台１０２に固定する際、最初にギヤホルダー２０８の脚部４０６ａ，４０６ｂが原稿台１０２の位置決め部５０１ａ，５０１ｂの突起部５０２ａ，５０２ｂに当接する。ギヤホルダー２０８の脚部４０６ａ，４０６ｂの形状は位置決め部５０１ａ，５０１ｂの突起部５０２ａ，５０２ｂの下面の形状に適合するようになされている。図８（ａ）はこの状態を示した図である。
【００５４】
さらに、ギヤホルダー２０８の挿入が進むと、ギヤホルダー２０８の脚部４０６ａ，４０６ｂが位置決め部５０１ａ，５０１ｂの突起部５０２ａ，５０２ｂの下面に当接しながら進む。この際、ギヤホルダー２０８の脚部４０６ａ，４０６ｂの形状は位置決め部５０１ａ，５０１ｂの突起部５０２ａ，５０２ｂの下面の形状に適合するようになされているため、ギヤホルダー２０８はスムーズに進むことができる。図８（ｂ）はこの状態を示した図である。
【００５５】
この図からわかるように、ギヤホルダー２０８の折曲部４０４ａ，４０４ｂは位置決め部５０１ａ，５０１ｂの突起部５０２ａ，５０２ｂのから矢印８０１ａ，８０１ｂの力を受けて、外側に曲がりながら進行する。これは、ギヤホルダー２０８が板バネで構成されているからである。
【００５６】
さらに、ギヤホルダー２０８の挿入が進むと、位置決め部５０１ａ，５０１ｂの突起部５０２ａ，５０２ｂがギヤホルダー２０８の開口部４０５ａ，４０５ｂの位置に到達し、突起部５０２ａ，５０２ｂが開口部４０５ａ，４０５ｂに入り込む。図８（ｃ）はこの状態を示した図である。
【００５７】
この図からもわかるように、ギヤホルダー２０８の挿入が完了すると、ギヤホルダー２０８が板バネで構成されているため、ギヤホルダー２０８の折曲部４０４ａ，４０４ｂは矢印８０３ａ，８０３ｂの方向に力を受けて、位置決め部５０１ａ，５０１ｂの側面に押しつくように当接する。このため、ギヤホルダー２０８の開口部４０５ａ，４０５ｂから位置決め部５０１ａ，５０１ｂの突起部５０２ａ，５０２ｂが抜けでることが防止される。
【００５８】
また、ダンパーギヤ２０７はギヤホルダー２０８から矢印８０３ａ，８０３ｂの方向に力を受け、上方に押し付けられることにより、確実に原稿台１０２に保持される。
【００５９】
さらに、またギヤホルダー２０８の突起部４０３ａ，４０３ｂは矢印８０４ａ，８０４ｂの力を受け、ラック２０２ａ，２０２ｂのギヤ部２０４ａ，２０４ｂに押し付けられ、確実に当接するようになされている。
【００６０】
図９は、上記実施の形態のダンパーギヤおよびセットガイドの要部の略図である。この図を使用して、どのように、一方のセットガイドの動きが、他方のセットガイドに伝わるか説明する。
【００６１】
ダンパーギヤ２０７のピニオンギヤ３０２は、セットガイド１０５ａ，１０５ｂのラック２０２ａ，２０２ｂのギヤ部２０４ａ，２０４ｂとに同時に噛み合っている。このため、セットガイド１０５ａが矢印９０１のように動かされると、この動きはセットガイド１０５ａのギヤ部２０４ａからダンパーギヤ２０７のピニオンギヤ３０２に伝わり、ダンパーギヤ２０７は矢印９０２の方向に回転する。この回転運動はダンパーギヤ２０７のピニオンギヤ３０２からセットガイド１０５ｂのギヤ部２０４ｂに伝わり、セットガイド１０５ｂが矢印９０３の方向に動く。逆に、セットガイド１０５ａが矢印９０４のように動かされると、この動きはセットガイド１０５ａのギヤ部２０４ａからダンパーギヤ２０７のピニオンギヤ３０２に伝わり、ダンパーギヤ２０７は矢印９０５の方向に回転する。この回転運動はダンパーギヤ２０７のピニオンギヤ３０２からセットガイド１０５ｂのギヤ部２０４ｂに伝わり、セットガイド１０５ｂが矢印９０６の方向に動く。このようにして、左右のそれぞれのセットガイド１０５ａ，１０５ｂがそれぞれの中央に対して略線対称に動くようになされる。
【００６２】
図１０（ａ），図１０（ｂ），図１０（ｃ）は上記実施の形態のセットガイドとギヤホルダーの要部の拡大断面図である。これらの図を使用して、ギヤホルダーがどのようにセットガイドに当接しながら動くか説明する。なお、ここでは、ラック２０２ａの膨らみ部５０３ａについてのみ説明するが、膨らみ部５０３ｂ，５０３ｃ，５０３ｄについても同様である。
【００６３】
図１０（ａ）は、ラック２０２ａの膨らみ部５０３ａの中央にクリック溝１００３が形成されている。膨らみ部５０３ａのクリック溝１００３の前後には、凸部１００２ａ，１００２ｂが設けられている。膨らみ部５０３ａと同様に膨らみ部５０３ｂ，５０３ｃ，５０３ｄにも同様にもクリック溝１００３と、その前後に凹部が設けられている。ラック２０２ａが矢印１００１の方向に動き、ギヤホルダー２０８の突起部４０３ａがラック２０２ａの膨らみ部５０３ａの凸部１００２ａに当接している状態を示した図である。この状態では、ギヤホルダー２０８が板バネで構成されているため、ギヤホルダー２０８の突起部４０３ａは矢印１００４の方向に力を受けている。よって、ギヤホルダー２０８の突起部４０３ａはラック２０２ａの膨らみ部５０３ａの凸部１００２ａに押し付けられるので、確実に当接するようになされている。
【００６４】
さらに、ラック２０２ａが矢印１００１の方向に動かされると、ギヤホルダー２０８の突起部４０３ａは膨らみ部５０３ａの膨らみ１００２ａの斜面を頂上方向に当接しながら進み、その後、膨らみ部５０３ａのクリック溝１００３に落ち込む。この際に、ギヤホルダー２０８の突起部４０３ａは矢印１００４の方向に力を受けているので、クリック溝１００３に落ち込む際に、ユーザーがクリック感を受ける。さらに、凸部１００２ａは、クリック溝１００３に対して急な斜面をもつ形状になされているため、クリック感がでやすくなっている。１０（ｂ）は、この状態を示した図である。
【００６５】
この状態では、ギヤホルダー２０８の突起部４０３ａは矢印１００５の方向に力を受けている。よって、ギヤホルダー２０８の突起部４０３ａはラック２０２ａの膨らみ部５０３ａのクリック溝１００３に押し付けら、確実に当接するようになされている。
【００６６】
さらに、ラック２０２ａが矢印１００１の方向に動かされると、ギヤホルダー２０８の突起部４０３ａは膨らみ部５０３ａのクリック溝１００３を凸部１００２ａから１００２ｂの方向に接触しながら進む。これは、突起部４０３ａが矢印１００５の方向に力を受けているからである。
【００６７】
さらに、ラック２０２ａが矢印１００１の方向に動かされると、ギヤホルダー２０８の突起４０３ａはクリック溝１００３の凸部１００２ｂに接触する。この際、ラック２０２ａの動きが一旦規制されるようになる。凸部１００２ｂは、クリック溝１００３に対して急な斜面をもつ構造になっているため、ユーザーは確かにラック２０２ａの動きが規制される感じを受ける。図１０（ｃ）はこの状態を示した図である。
【００６８】
ユーザーがラック２０２ａを矢印１００１の方向に進むようにある程度の力を加えると、ギヤホルダー２０８の突起部４０３ａは膨らみ部５０３ａの凸部１００２ｂに乗り上げる。これは、ギヤホルダー２０８が板バネで構成されているため、ある程度の力が加わると曲がるためである。そして、ラック２０２ａは矢印１００１の方向に、ギヤホルダー２０８の突起部４０３ａがラック２０２ａの凸部１００２ｂに当接しながら進行する。
【００６９】
このように、ギヤホルダー２０８が板バネで構成されているために、ギヤホルダー２０８はたえずラック２０２ａの膨らみ部５０３ａに当接しながら進行する。このため、ギヤホルダー２０８の突起部４０３ａがラック２０２ａの凸部１００２ａを頂上に向かって進行するときには、その動きが規制される感覚を受け、さらに、クリック溝１００３をすぎて、凸部１００２ｂに乗り上げる際は、さらに強く動きを規制される感覚を受ける。逆に、ギヤホルダー２０８の突起部４０３ａが凸部１００２ｂを越え、凸部１００２ｂを谷に向かうときは反対に軽快に動く感覚を得られことになる。これが断続的に繰り返されるので、ステップ的な動きを確かに実感でき、安定したクリック感が得られる。
【００７０】
また、ラック２０２ａ，２０２ｂの膨らみ部５０３ａ，５０３ｂ，５０３ｃ，５０３ｄは樹脂で構成されており、これに当接するギアホルダー２０８の突起部４０３ａ，４０３ｂは金属で構成されている。このため、ギアホルダー２０８が膨らみ部５０３ａ，５０３ｂ，５０３ｃ，５０３ｄに当接しながら進む際に生じる摩擦が大きくなり、ギアホルダー２０８の突起部４０２ａ，４０３ｂの動きが、膨らみ部５０３ａ，５０３ｂ、５０３ｃ，５０３ｄによって効率的に規制される。
【００７１】
さらに、また、本実施の形態の説明では、膨らみ部５０３ａにはクリック溝１００３の前後に凸部１００２ａ，１００２ｂを設ける構造にしたが、クリック溝１００３の前後に連続的に凹凸が形成することにより、ユーザーが細かいクリック感を得るようにすることもできる。また、クリック溝１００３の前後の凸部１００２ａ，１００２ｂまたは連続的な凹凸を広い範囲で設けることにより、ガイド部１０５ａ，１０５ｂの動きが効率的に抑制され、ガイド部１０５ａ，１０５ｂはよりなめらかに動くようになる。
【００７２】
さらに、また、ラック２０２ａ，２０２ｂの膨らみ部５０３ａ，５０３ｂ，５０３ｃ，５０３ｄを用紙サイズに適合した位置に設置することにより、ユーザーは容易に用紙に合わせてセットガイド１０５ａ，１０５ｂの調整をすることが容易になる。
【００７３】
本実施例のように構成することにより、ユーザーが単にギヤホルダー２０８を原稿台１０２に固定する作業をすることにより、ダンパーギヤ２０７も原稿台１０２に取り付けることができる。また、ギヤホルダー２０８の取付けも、ギヤホルダー２０８の開口部４０５ａ，４０５ｂに位置決め部５０１ａ，５０１ｂの突起部５０２ａ，５０２ｂを挿入するだけでできるため、非常に簡単である。
【００７４】
また、ギヤホルダー２０８に突起部４０３ａ，４０３ｂを設け、ギヤホルダー２０８を原稿台１０２に取り付けた際、ギヤホルダー２０８の突起部４０３ａ，４０３ｂがセットガイド１０５ａ，１０５ｂの膨らみ部５０３ｂ，５０３ａ，５０３ｃ，５０３ｄに当接するようにギヤホルダー２０８をすることにより、新たに部品を追加しなくても、セットガイド１０５ａ，１０５ｂが動く際のクリック感が得られる。
【００７５】
なお、本実施の形態では、ギヤホルダー２０８を板バネで構成したが、弾性力を持つものであれば、板バネ以外のものも使用できる。
【００７６】
【発明の効果】
本発明のような用紙ガイド機構にすることにより、ダンパーギヤの取付け作業を簡単に行えるため、組立作業が容易になり、組立作業を効率化することができる。また、ユーザーは用紙サイズ位置ごとに安定したクリック感を得ることができる。
【図面の簡単な説明】
【図１】本発明の一実施の形態の電気機器の斜視図
【図２】上記実施の形態の電気機器の原稿台を説明するための電気機器の要部分解斜視図
【図３】（ａ）上記実施の形態の電気機器のダンパーギヤの拡大上面図
（ｂ）上記実施の形態の電気機器のダンパーギヤの拡大側面図
（ｃ）上記実施の形態の電気機器のダンパーギヤの拡大下面図
【図４】（ａ）上記実施の形態の電気機器のギヤホルダーの拡大上面図
（ｂ）上記実施の形態の電気機器のギヤホルダーを矢印Ａから見た拡大側面図
（ｃ）上記実施の形態の電気機器のギヤホルダーを矢印Ｂから見た拡大側面図
（ｄ）上記実施の形態の電気機器のギヤホルダーのＣーＣ線に沿った拡大断面図
【図５】上記実施の形態の電気機器の原稿台に各部品の取付けられかたを説明するための電気機器を下面から見た要部分解斜視図
【図６】上記実施の形態の電気機器の原稿台に各部品の取付けられかたを説明するための電気機器をを下面から見た要部拡大図
【図７】上記実施の形態の電気機器のギヤホルダーの取付けかたを説明するための電気機器の要部断面図
【図８】（ａ）上記実施の形態の電気機器のギヤホルダーを機器本体に取付ける際の第１の状態における電気機器の要部断面図
（ｂ）上記実施の形態の電気機器のギヤホルダーを機器本体に取付ける際の第２の状態における電気機器の要部断面図
（ｃ）上記実施の形態の電気機器のギヤホルダーを機器本体に取付ける際の第３の状態における電気機器の要部断面図
【図９】上記実施の形態の電気機器のダンパーギヤの動作を説明するための電気機器の要部の略図
【図１０】（ａ）上記実施の形態の電気機器のセットガイドとギヤホルダーが関係する動作を説明するための第１の状態におけるセットガイドおよびギヤホルダーの要部の拡大断面図
（ｂ）上記実施の形態の電気機器のセットガイドとギヤホルダーが関係する動作を説明するための第２の状態におけるセットガイドおよびギヤホルダーの要部の拡大断面図
（ｃ）上記実施の形態の電気機器のセットガイドとギヤホルダーが関係する動作を説明するための第３の状態におけるセットガイドおよびギヤホルダーの要部の拡大断面図
【図１１】従来の電気機器の斜視図
【符号の説明】
１０１  電気機器
１０２  原稿台
１０５ａ，１０５ｂ  セットガイド
２０１ａ，２０１ｂ  ガイド用突起
２０２ａ，２０２ｂ  ラック
２０４ａ，２０４ｂ  ギヤ部
２０５ａ，２０５ｂ  開口部
２０６  突起部
２０７  ダンパーギヤ
２０８  ギヤホルダー
３０１  開口部
３０２  ピニオンギヤ
４０１  開口部
４０２ａ，４０２ｂ，４０２ｃ，４０２ｄ  開口部
４０３ａ，４０３ｂ  突起部
４０４ａ，４０４ｂ  折曲部
４０５ａ，４０５ｂ  開口部
４０６ａ，４０６ｂ  脚部
５０１ａ，５０１ｂ  位置決め部
５０２ａ，５０２ｂ  突起部
５０３ａ，５０３ｂ，５０３ｃ，５０３ｄ  膨らみ部
１００２ａ，１００２ｂ  凸部
１００３  クリック溝
【図１】
0004084488.tif 000002
【図２】
0004084488.tif 000003
【図３】
0004084488.tif 000004
【図４】
0004084488.tif 000005
【図５】
0004084488.tif 000006
【図６】
0004084488.tif 000007
【図７】
0004084488.tif 000008
【図８】
0004084488.tif 000009
【図９】
0004084488.tif 000010
【図１０】
0004084488.tif 000011
【図１１】
0004084488.tif 000012